(57)【要約】【課題】海上でのレジャー、スポーツなどを行うときの気象条件に対する安全性を確保した海象情報提供システム、海象情報提供方法、およびそのプログラムを提供する。【解決手段】予め契約した顧客の魚船、プレジャーボートなどに海象情報の計測機器を設け、計測機器を取り付けた船の海上の現在位置情報、船が存在する海域の海象情報を計測器で計測し、計測情報をサーバーに送信し、サーバは、船の排水量を予め登録しておき、受信した船の位置情報と海象情報を集計することにより、海象情報を地図上に表示すると共に、海象情報と船の排水量とから船の危険度を算出し、危険情報を表示・警告し、利用者がサーバにアクセスして海象情報を受信する。【選択図】      図１
2004354069.tif 000002
【特許請求の範囲】
【請求項１】
海象情報を管理し顧客に前記海象情報を提供するセンタサーバと、船に搭載される前記海象情報を計測する計測器と前記計測器の計測情報を集計するコンピュータと前記コンピュータの前記集計情報をネットワークを介して前記センタサーバに送信する通信装置と、前記ネットワークを介して前記センタサーバにアクセスし前記海象情報を受信する顧客端末とを有する海象情報提供システムであって、前記センタサーバは、顧客の船の仕様情報と前記海象情報と船の位置情報とを情報格納手段により格納する記憶装置と、前記海象情報と船の仕様情報とから船の危険度を算出する危険度算出手段と、危険情報を地図上に表示する危険情報表示・警告手段とを有することを特徴とする海象情報提供システム。
【請求項２】
前記計測器は、船の位置情報を検知するグローバルポジショニングシステムと、魚群探知機と、海水の濁りを計測する濁り計測センサと、外気温を計測する外気温計測センサと、水温を計測する水温計測センサと、船の揺れを計測する揺れ量計測センサとを有することを特徴とする請求項１記載の海象情報提供システム。
【請求項３】
前記海象情報は、船の揺れ情報と、海水の濁り情報と、外気温情報と、水温情報と、魚群探知機情報とを有することを特徴とする請求項１記載の海象情報提供システム。
【請求項４】
前記センタサーバは、前記海象情報を表示する海洋情報表示手段と、予め前記記憶装置に格納された地図情報と船の位置情報とから船の存在する海域における前記海象情報を地図上に表示する地図情報表示手段とを有することを特徴とする請求項１記載の海象情報提供システム。
【請求項５】
前記危険度算出手段は、船の揺れ量と船の前記仕様情報により決定される値との積を演算する手段を有することを特徴とする請求項１記載の海象情報提供システム。
【請求項６】
船の前記仕様情報は、船の排水量の大きさを有することを特徴とする請求項１または５記載の海象情報提供システム。
【請求項７】
前記ネットワークは、インターネットを有することを特徴とする請求項１記載の海象情報提供システム。
【請求項８】
前記顧客端末は、パーソナルコンピュータまたは携帯電話を有することを特徴とする請求項１記載の海象情報提供システム。
【請求項９】
船に搭載した海象情報を計測する計測器からの計測情報をコンピュータで集計して前記コンピュータからの前記計測情報を通信装置からネットワークを介してセンタサーバに送信し、前記ネットワークを介して顧客端末から前記センタサーバにアクセスすることにより前記顧客端末が前記海象情報を受信する海象情報提供方法であって、前記センタサーバは、顧客の船の仕様情報を情報格納手段により記憶装置に格納するステップと、前記海象情報と船の位置情報とを前記記憶装置に格納するステップと、前記海象情報と船の前記仕様情報とから船の危険度を危険度算出手段により算出するステップと、危険情報表示・警告手段により危険情報を表示するステップとを有することを特徴とする海象情報提供方法。
【請求項１０】
前記センタサーバは、一定時間間隔で、前記海象情報とグローバルポジショニングシステムからの位置情報とを前記ネットワークを介して受信するステップを有することを特徴とする請求項９記載の海象情報提供方法。
【請求項１１】
前記計測器は、船の位置情報を検知するグローバルポジショニングシステムと、魚群探知機と、海水の濁りを計測する濁り計測センサと、外気温を計測する外気温計測センサと、水温を計測する水温計測センサと、船の揺れを計測する揺れ量計測センサとを有することを特徴とする請求項９記載の海象情報提供方法。
【請求項１２】
前記海象情報は、船の揺れ情報と、海水の濁り情報と、外気温情報と、水温情報と、魚群探知機情報とを有することを特徴とする請求項９記載の海象情報提供方法。
【請求項１３】
前記センタサーバは、海洋情報表示手段により前記海象情報を表示するステップと、地図情報表示手段により予め前記記憶装置に格納された地図情報と船の位置情報とから船の存在する海域における前記海象情報を地図上に表示するステップとを有することを特徴とする請求項９記載の海象情報提供方法。
【請求項１４】
前記危険度算出手段は、船の揺れ量と船の前記仕様情報により決定される値との積を演算するステップを有することを特徴とする請求項９記載の海象情報提供方法。
【請求項１５】
船の前記仕様情報は、船の排水量の大きさを有することを特徴とする請求項９または１４記載の海象情報提供方法。
【請求項１６】
前記ネットワークは、インターネットを有することを特徴とする請求項９記載の海象情報提供方法。
【請求項１７】
前記顧客端末は、パーソナルコンピュータまたは携帯電話を有することを特徴とする請求項９記載の海象情報提供方法。
【請求項１８】
前記センタサーバは、前記海象情報と天気予報情報とから船の危険度を予測するステップを有することを特徴とする請求項９記載の海象情報提供方法。
【請求項１９】
コンピュータを顧客の船の仕様情報と海象情報と船の位置情報とを情報格納手段により記憶装置に格納する情報格納手段、前記海象情報を表示する海洋情報表示手段、予め前記記憶装置に格納された地図情報と船の位置情報とから船の存在する海域における前記海象情報を地図上に表示する地図情報表示手段、前記海象情報と船の前記仕様情報とから船の危険度を算出する危険度算出手段、危険情報を地図上に表示する危険情報表示・警告手段として機能させるためのプログラム。
【発明の詳細な説明】
【０００１】
【発明の属する技術分野】
本発明は、海象情報提供システム、海象情報提供方法、およびそのプログラムに関し、特に、予め契約した顧客の漁船、プレジャーボートなどに海象情報の計測機器を設け、計測機器を取り付けた船の海上の現在位置情報、船が存在する海域の海の濁り度合い、水温、気温、波浪などの情報を計測器で計測し、計測情報をサーバーに送信し、サーバは、受信した海象情報を集計、分析することにより、海象情報を地図上に表示し、利用者がサーバをアクセスして海象情報を受信することにより、海上でのレジャー、スポーツなどを行うときの気象条件に対する安全性を確保する海象情報提供システム、海象情報提供方法、およびそのプログラムに関する。
【０００２】
【従来の技術】
近年、釣り、ダイビングなどのレジャースポーツの普及により、プレジャーボート、釣り船などの利用需要が増加傾向にあるが、海上を航行するボートの中には、経験不足から状況判断が未熟なため、最適なポイントが選択できない場合や、その海域の特徴や気象の変化による海上の状況の変化を正確に把握できないことに起因して、海難事故の発生につながるケースがあり、海上レジャースポーツにおける初心者から経験豊富者に至る全ての人に対する容易性、安全性を図る技術が望まれる。
【０００３】
そこで、海象データを観測する技術として、観測装置とユーザのパソコンと基地局サブシステムとを通信可能な状態に設け、複数の観測装置を所定海域に設置し、その所定海域の海象データを観測し、観測した海象データを基地局サブシステムに送信し、基地局サブシステムは、観測装置から送信された海象データを受信し、受信データを記憶した後、ユーザからの要求に応じて、記憶した海象データをユーザのパソコン上にネットワークを介して送信することにより、ユーザに対して、所定海域の海象データをタイムリーに提供することのできるものがある（例えば、特許文献１参照。）。
【０００４】
また、船舶に必要な海域の気象予報情報を伝送し、船舶上で気象を考慮した航路計画を策定可能にすると共に、伝送された海域の気象予報情報を当該船舶のみで利用可能とし、気象予報情報のセキュリティを確保するものもある（例えば、特許文献２参照。）。
【０００５】
【特許文献１】
特開２００２ー２６７７６９号公報
【特許文献２】
特開２００２ー３１８２８７号公報
【０００６】
【発明が解決しようとする課題】
特許文献１記載の技術は、海象データを観測する複数の観測装置を沿岸などの所定海域に配置して、その所定海域の海象データを観測し、観測された海象データを基地局サブシステム、ネットワークを介してユーザのパソコンに送信しており、海象データを観測する場所が、観測装置の設置された箇所に限定され、また、海中、海上に設置される観測装置により観測されたデータが海象データとしてユーザのパソコンに送信される故、船舶を利用するユーザにとって、例えば、利用する船舶の排水量に対して、海象データから所定海域を航行することが安全なのか否かの判断ができないという課題がある。
【０００７】
また、特許文献２記載の技術は、船舶に必要な海域の気象予報情報を伝送し、船舶上で気象を考慮した航路計画を策定可能にすると共に、伝送された海域の気象予報情報を当該船舶のみで利用可能とし、気象予報情報のセキュリティを確保しているが、気象のみを考慮した航路計画であり、航路計画に影響を及ぼす船舶の排水量（大きさ）を考慮した航路計画が策定できず、また、セキュリティを確保のため、気象予報情報を当該船舶のみでしか利用できないという課題がある。
【０００８】
本発明の目的は、上記課題を解決すべく、予め契約した顧客の魚船、プレジャーボートなどに海象情報の計測機器を設け、計測機器を取り付けた船の海上の現在位置情報、船が存在する海域の海の濁り度合い、水温、気温、波浪などの情報を計測器で計測し、計測情報をサーバーに送信し、サーバは、船の排水量を予め登録しておき、受信した船の位置情報と海象情報を集計することにより、海象情報を地図上に表示すると共に、海象情報と船の排水量とから船の危険度を算出し、危険情報を表示・警告し、利用者がサーバにアクセスして海象情報を受信することにより、海上でのレジャー、スポーツなどを行うときの気象条件に対する安全性を確保した海象情報提供システム、海象情報提供方法、およびそのプログラムを提供することにある。
【０００９】
【課題を解決するための手段】
本発明の海象情報提供システムは、海象情報を管理し顧客に海象情報を提供するセンタサーバと、船に搭載される海象情報を計測する計測器と計測器の計測情報を集計するコンピュータとコンピュータの集計情報をネットワークを介してセンタサーバに送信する通信装置と、ネットワークを介してセンタサーバにアクセスし海象情報を受信する顧客端末とを有する海象情報提供システムであって、センタサーバは、顧客の船の仕様情報と海象情報と船の位置情報とを情報格納手段により格納する記憶装置と、海象情報と船の仕様情報とから船の危険度を算出する危険度算出手段と、危険情報を地図上に表示する危険情報表示・警告手段とを有することを特徴とする。
【００１０】
計測器は、船の位置情報を検知するグローバルポジショニングシステムと、魚群探知機と、海水の濁りを計測する濁り計測センサと、外気温を計測する外気温計測センサと、水温を計測する水温計測センサと、船の揺れを計測する揺れ量計測センサとを有することを特徴とする。
【００１１】
海象情報は、船の揺れ情報と、海水の濁り情報と、外気温情報と、水温情報と、魚群探知機情報とを有することを特徴とする。
【００１２】
センタサーバは、海象情報を表示する海洋情報表示手段と、予め記憶装置に格納された地図情報と船の位置情報とから船の存在する海域における海象情報を地図上に表示する地図情報表示手段とを有することを特徴とする。
【００１３】
危険度算出手段は、船の揺れ量と船の仕様情報により決定される値との積を演算する手段を有することを特徴とする。
【００１４】
船の仕様情報は、船の排水量の大きさを有することを特徴とする。
【００１５】
ネットワークは、インターネットを有することを特徴とする。
【００１６】
顧客端末は、パーソナルコンピュータまたは携帯電話を有することを特徴とする。
【００１７】
本発明の海象情報提供方法は、船に搭載した海象情報を計測する計測器からの計測情報をコンピュータで集計してコンピュータからの計測情報を通信装置からネットワークを介してセンタサーバに送信し、ネットワークを介して顧客端末からセンタサーバにアクセスすることにより顧客端末が海象情報を受信する海象情報提供方法であって、センタサーバは、顧客の船の仕様情報を情報格納手段により記憶装置に格納するステップと、海象情報と船の位置情報とを記憶装置に格納するステップと、海象情報と船の仕様情報とから船の危険度を危険度算出手段により算出するステップと、危険情報表示・警告手段により危険情報を表示するステップとを有することを特徴とする。
【００１８】
センタサーバは、一定時間間隔で、海象情報とグローバルポジショニングシステムからの位置情報とをネットワークを介して受信するステップを有することを特徴とする。
【００１９】
計測器は、船の位置情報を検知するグローバルポジショニングシステムと、魚群探知機と、海水の濁りを計測する濁り計測センサと、外気温を計測する外気温計測センサと、水温を計測する水温計測センサと、船の揺れを計測する揺れ量計測センサとを有することを特徴とする。
【００２０】
海象情報は、船の揺れ情報と、海水の濁り情報と、外気温情報と、水温情報と、魚群探知機情報とを有することを特徴とする。
【００２１】
センタサーバは、海洋情報表示手段により海象情報を表示するステップと、地図情報表示手段により予め記憶装置に格納された地図情報と船の位置情報とから船の存在する海域における海象情報を地図上に表示するステップとを有することを特徴とする。
【００２２】
危険度算出手段は、船の揺れ量と船の仕様情報により決定される値との積を演算するステップを有することを特徴とする。
【００２３】
船の仕様情報は、船の排水量の大きさを有することを特徴とする。
【００２４】
ネットワークは、インターネットを有することを特徴とする。
【００２５】
顧客端末は、パーソナルコンピュータまたは携帯電話を有することを特徴とする。
【００２６】
センタサーバは、海象情報と天気予報情報とから船の危険度を予測するステップを有することを特徴とする。
【００２７】
本発明のプログラムは、コンピュータを顧客の船の仕様情報と海象情報と船の位置情報とを情報格納手段により記憶装置に格納する情報格納手段、海象情報を表示する海洋情報表示手段、予め記憶装置に格納された地図情報と船の位置情報とから船の存在する海域における海象情報を地図上に表示する地図情報表示手段、海象情報と船の仕様情報とから船の危険度を算出する危険度算出手段、危険情報を地図上に表示する危険情報表示・警告手段として機能させることを特徴とする。
【００２８】
【発明の実施の形態】
次に、本発明の海象情報提供システムの一実施の形態について、図面を参照して説明する。
【００２９】
図１は、本発明の海象情報提供システムの一実施の形態を示す概略構成ブロック図、図２は、図１中の船に実装される機器を示す構成ブロック図、図３は、図１中のセンタサーバの概略構成ブロック図である。
【００３０】
図１〜図３を参照すると、海象情報提供システム１は、船の揺れ情報２４と海水の濁り情報２１と外気温情報２２と水温情報２３と魚群探知機情報２６とを有する海象情報を管理し顧客に海象情報を提供するセンタサーバ２と、船４に搭載され海象情報を計測する計測器４９と計測器４９の計測情報を集計するコンピュータ４２とコンピュータ４２の集計情報をインターネット５を介してセンタサーバ２に送信する通信装置４１と、インターネット５を介してセンタサーバ２にアクセスし海象情報を受信するパーソナルコンピュータまたは携帯電話を有する顧客端末３とで構成され、センタサーバ２は、船４の排水量の大きさを示す船仕様情報２７と船の揺れ情報２４と海水の濁り情報２１と外気温情報２２と水温情報２３と魚群探知機情報２６と船位置情報２５と地図情報２８とを格納するディスクアレイ装置からなる磁気ディスク装置２０と、各種情報を磁気ディスク装置２０に書き込み格納する情報格納手段６１と、磁気ディスク装置２０に予め格納されている地図情報２８と海上の船４の船位置情報２５とから船４の存在する海域における海象情報を地図上に表示する地図情報表示手段６３と、海象情報と船仕様情報２７とから船４の危険度を算出する危険度算出手段６４と、危険情報を地図上に表示する危険情報表示・警告手段６５と、海象情報を表示する海洋情報表示手段６２とで構成される。
【００３１】
計測器４９は、船４の位置情報を検知するＧＰＳ（グローバルポジショニングシステム）４７と、魚群探知機４８と、海水の濁りを計測する濁り計測センサ４３と、外気温を計測する外気温計測センサ４４と、水温を計測する水温計測センサ４５と、船の揺れを計測する揺れ量計測センサ４６とを備えて構成される。
【００３２】
危険度算出手段６４は、船４の揺れ情報２４と船仕様情報２７により決定される値との積を演算する手段を有して構成される。
【００３３】
なお、揺れ量計測センサ４６は、ピッチング、ローリング、ヨーイングの３次元方向の揺れ量を各々計測し、揺れ量が最大となる方向の計測値をコンピュータ４２で処理し、その計測値をセンタサーバ２へ送信するよう構成される。
【００３４】
次に、上述のように構成された海象情報提供システム１の動作について、図面を参照して説明する。
【００３５】
図４は、海象情報提供システム１の動作を説明するための図である。
【００３６】
図４を参照すると、センタサーバ２の管理者と船４のオーナーとの間で、海象情報を提供することに対する契約をインターネット５を介して締結し（Ｓ２１、Ｓ４１）、契約後、センタサーバ２の管理者から船４のオーナーに計測器４９を貸与し、船４のオーナーは、計測器４９を船４に搭載する（Ｓ４２）。
【００３７】
船４のオーナーは、船４の排水量の大きさ（例えば、船４の排水量が２０トンである場合は、２０トンの大きさ）をインターネット５を介してセンターサーバ２に送信する（Ｓ４３）。
【００３８】
なお、船４のオーナーは、船４の排水量の大きさと共に、オーナー固有の識別番号、或いはＩＤ番号を送信することで、船４とその排水量の大きさとの対応関係を識別可能とする。
【００３９】
船４の大きさ情報を受信したセンターサーバ２は、情報格納手段６１により磁気ディスク装置２０に船仕様情報２７として書込み格納する（Ｓ２２）。
【００４０】
船４に搭載された位置情報を検知するＧＰＳ４７と、魚群探知機４８と、海水の濁りを計測する濁り計測センサ４３と、外気温を計測する外気温計測センサ４４と、水温を計測する水温計測センサ４５と、船の揺れを計測する揺れ量計測センサ４６とから計測されたデータをコンピュータ４２で収集し、コンピュータ４２から計測されたデータを通信装置４１に送信し、通信装置４１からインターネット５を介して収集した計測データをセンタサーバ２に送信し（Ｓ４４）、センタサーバ２は、受信した計測データを磁気ディスク装置２０に、各々、船の揺れ情報２４、海水の濁り情報２１、外気温情報２２、水温情報２３、魚群探知機情報２６、船位置情報２５として格納する（Ｓ２３）。
【００４１】
ここに、収集した計測データを通信装置４１からセンタサーバ２へ送信する時間間隔は、一定とする（例えば、図５に示すように３０分間隔）。
【００４２】
センタサーバ２は、海洋情報表示手段６２により、例えば、図５に示すような海洋情報の表示を行う（Ｓ２４）と共に、地図情報表示手段６３により、磁気ディスク装置２０に予め格納されている地図情報２８と海上の船４の船位置情報２５とから船４の存在する海域における海象情報を地図上に表示（図示せず）する（Ｓ２５）。
【００４３】
顧客は、パーソナルコンピュータまたは携帯電話の顧客端末３から海象情報を閲覧すべくインターネット５を介してセンタサーバ２にアクセスして（Ｓ３１）、海象情報を得ることができる。
【００４４】
顧客は、センターサーバ２から自動送信を希望する水温、気温、濁り、波の強さの海象情報を予め設定しておき、自動送信設定条件をセンターサーバ２に送信し（Ｓ３２）、センターサーバ２は、磁気ディスク装置２０に格納されている船の揺れ情報２４、海水の濁り情報２１、外気温情報２２、水温情報２３を読み出して受信した設定条件に合致する海域の場所を条件合致場所検索手段（図示せず）により検索し、船仕様情報２７と魚群探知機情報２６とを設定条件に合致する海域の場所情報と共に自動送信手段（図示せず）により、顧客端末３に送信する（Ｓ２６）ことにより、顧客は、希望条件にマッチした海域の情報を得ることができる（Ｓ３３）。
【００４５】
また、センターサーバ２は、危険度算出手段６４により、海象情報と船仕様情報２７とから船４の危険度を算出し（Ｓ２７）、危険情報表示・警告手段６５により、危険情報を図６に示すように地図上に表示し、危険情報を船４と顧客端末３とに送信する（Ｓ２８）。
【００４６】
ここで、危険度について、図７を参照して説明する。
【００４７】
図７は、揺れ量と危険度との関係を示す図であり、船４の排水量の大きさにより直線の傾きが変化することは云うまでもない。
【００４８】
危険度をＤ、揺れ量をＨ、排水量の大きさに関連する値をＴ、気象予報による今後の天候を考慮した値をＣとすると、Ｄ＝Ｈ×Ｔ＋Ｃで算出され、Ｄが一定値Ｄｄ以上となるとき、危険情報を船４と顧客端末３とに送信する。
【００４９】
Ｄｄは、船４が海上で航行する上で危険を伴うと想定されるときの排水量の大きさによって予め設定される危険度の値、Ｃの値は、天気予報による波の高さをを考慮したときの危険度の予測値であり、例えば、天気予報で波の高さが１ｍ以内のときは、０とし、１ｍ〜２ｍのとき１０とし、２ｍ〜３ｍのときは、２０とするといったように、波の高さに応じて予め設定しておく。
【００５０】
また、排水量の大きさに関連する値Ｔは、例えば、排水量１０ｔ（トン）未満は、５とし、１０ｔ〜２０ｔは、１０とするといったように、予め決めておく定数である。
【００５１】
ある時刻での揺れ量の計測値とＴとの積に予測値Ｃを加算しているため、危険度Ｈは、計測時点での実際の危険度以上の値となるが、顧客への情報として海域の安全性を期すため、図７に示す危険領域に至ったとき（揺れ量がＨｂより小さいＨｄ以上となったとき）、危険情報として船４と顧客端末３とに送信する（従って、実際には危険であるか否かのグレーゾーンの範疇と、結果的には危険ではない場合においても、危険と判定して危険情報を送信する場合がある）。
【００５２】
天気予報を考慮した危険度Ｄは、予報により天気が回復して海上状態が良好となるとき（例えば、波の高さが１ｍ以内のとき）は、予測値Ｃが０となり、Ｄ＝Ｈ×Ｔで算出されることになる。
【００５３】
船４と顧客端末３とは、危険情報を受信することで、該当する海域上のマージンを持った危険度の状況を把握でき、釣り、ダイビングなどの海上レジャーでの事故発生を回避することができる。
【００５４】
次に、海象情報提供システム１を利用して顧客が釣りを行う場合について、簡単に説明する。
【００５５】
顧客は、顧客端末３からインターネット５を介してセンタサーバ２にアクセスし、釣りを行う周辺海域の水温、外気温、濁り具合、波の強さ、魚の群れの分布を海洋情報より顧客端末３上で確認し、確認した情報を元に顧客の判断により、釣りに最適となる場所を選択して、釣り場への移動が可能となる。
【００５６】
また、顧客は、釣り場における希望する水温、外気温、濁り、波の強さの海象情報を予め設定しておき、設定条件をセンターサーバ２に送信し、センターサーバ２から設定条件に合致する釣り場と船仕様情報２７と魚群探知機情報２６とを自動受信することにより、顧客は、希望条件にマッチした釣り場の情報を得ることができる。
【００５７】
次に、海象情報提供システム１を利用して顧客がダイビングを行う場合について、簡単に説明する。
【００５８】
顧客は、顧客端末３からインターネット５を介してセンタサーバ２にアクセスし、ダイビングを行う周辺海域の水温、外気温、濁り具合を海洋情報より顧客端末３上で確認し、確認した情報を元に顧客の判断により、ダイビングに最適となる場所を選択して、ダイビング場所への移動が可能となる。
【００５９】
また、顧客は、ダイビングする場所における希望する水温、外気温、濁りの海象情報を予め設定しておき、設定条件をセンターサーバ２に送信し、センターサーバ２から設定条件に合致するダイビング場所を自動受信することにより、顧客は、希望条件にマッチしたダイビング場所の情報を得ることができる。
【００６０】
上述の海象情報提供システムでは、顧客がセンタサーバ２にアクセスして海象情報を受信することにより、海上でのレジャー、スポーツなどを行うときの気象条件に対する顧客の身の安全性について説明しているが、波浪などにより船４の航行に危険が生じるような気象が発生した場合、気象情報を受信したセンタサーバ２は、その情報を危険な海域の周辺を航行する船４に送信することにより、周辺を航行する船に注意を促し、もし海難事故が発生した場合、センタサーバ２から一定時間ごとに危険な海域の周辺を航行する船４に、危険な海域の船位置情報２５を送信することにより、事故発生場所の特定が容易にでき、迅速な救助活動を行うことが可能となる。
【００６１】
【発明の効果】
以上説明したように、本発明の海象情報提供システムは、船と顧客端末とは、危険情報を受信することで、顧客は、該当する海域上のマージンを持った危険度の状況を把握でき、釣り、ダイビングなどの海上レジャーでの事故発生を回避することができるという効果がある。
【００６２】
また、センタサーバから一定時間ごとに危険な海域の周辺を航行する船に、危険な海域の船位置情報を送信することにより、事故発生場所の特定が容易にでき、迅速な救助活動を行うことができるという効果がある。
【図面の簡単な説明】
【図１】本発明の海象情報提供システムの一実施の形態を示す概略構成ブロック図である。
【図２】図１中の船に実装される機器を示す構成ブロック図である。
【図３】図１中のセンタサーバの概略構成ブロック図である。
【図４】本発明の海象情報提供システムの動作を説明するための図である。
【図５】海洋情報の表示内容を説明するための図である。
【図６】地図上に危険情報を表示する内容を説明するための図である。
【図７】揺れ量と危険度との関係を示す図である。
【符号の説明】
１    海象情報提供システム
２    センタサーバ
３    顧客端末
４    船
５    インターネット
２０    磁気ディスク装置
２１    濁り情報
２２    外気温情報
２３    水温情報
２４    揺れ情報
２５    船位置情報
２６    魚群探知機情報
２７    船仕様情報
２８    地図情報
４１    通信装置
４２    コンピュータ
４３    濁り計測センサ
４４    外気温計測センサ
４５    水温計測センサ
４６    揺れ量計測センサ
４７    ＧＰＳ
４８    魚群探知機
６１    情報格納手段
６２    海洋情報表示手段
６３    地図情報表示手段
６４    危険度算出手段
６５    危険情報表示・警告手段
【図１】
2004354069.tif 000003
【図２】
2004354069.tif 000004
【図３】
2004354069.tif 000005
【図４】
2004354069.tif 000006
【図５】
2004354069.tif 000007
【図６】
2004354069.tif 000008
【図７】
2004354069.tif 000009